(57)【要約】【課題】本発明は、加湿装置に関するもので、上記課題に対してカルキ成分の除去を行うことができ、加湿性能を維持することができる。【解決手段】吸込口１と吹出口２を備えた本体ケース３と、送風路４に設けた送風手段５と、給水タンクから給水される水槽６と、水槽６の溜水に常に一部を浸した状態に設けられた円筒形状の加湿フィルター７と、水槽６の溜水に常に一部を浸した状態に設けられた円筒形状の加熱手段８と、加湿フィルター７と加熱手段８を回転させる回転手段１０で構成されている。そして、加湿フィルター７に析出したカルキ成分が加湿フィルター７と共に水槽６の溜水内に浸水することで、カルキ成分が溶解もしくは剥離し、カルキ成分は加湿フィルター７に蓄積されないので、加湿フィルター７の目詰まりがなく安定した加湿性能を維持できる。また、加熱手段８によって水を蒸発させることで加湿量を向上させることが可能となる。【選択図】図１
2010151417.tif 000002
【特許請求の範囲】
【請求項１】
吸込口と吹出口とを有する本体ケースと、この本体ケース内で、前記吸込口から前記吹出口に送風される送風路に送風手段を設け、この送風手段の前記送風路上流側に加湿手段と加熱手段を設け、この加湿手段と加熱手段の下部には水槽を設け、この水槽に常に所定水位まで給水する給水タンクを備え、前記加湿手段は略円筒型の加湿フィルターを前記水槽に回転自在に設け、この加湿フィルターの一部が常に前記水槽の水中に浸かった構成とし、前記加熱手段は略円筒型の加熱部材を前記水槽に回転自在に備え、前記加湿フィルターと前記加熱部材を回転させる複数の回転手段を設け前記加熱部材の一部が常に前記水槽の水中に浸かった加湿装置。
【請求項２】
加熱手段は前記加湿手段の下流に設けた請求項１に記載の加湿装置。
【請求項３】
加湿手段である略円筒形の加湿フィルターは、前記水槽の水中に浸した部分が前記送風路の上流側の空気中に出る方向に回転する請求項１または２に記載の加湿装置。
【請求項４】
加熱手段は略円筒形で、前記加湿手段に空気中で近づきながら前記送風路の水中に入る方向に回転する請求項１〜３のいずれかに記載の加湿装置。
【請求項５】
加熱手段は略円筒形の加熱部材と、前記加熱部材の内部で水面から上方に所定の距離を有した位置に加熱ヒーターを備えた請求項１〜４のいずれかに記載の加湿装置。
【請求項６】
加熱部材の略円筒形の円周表面は凹凸形状を有した請求項１〜５のいずれかに記載の加湿装置。
【請求項７】
加湿フィルター及び加熱部材をひとつの回転手段で回転させる請求項１〜６のいずれかに記載の加湿装置。
【請求項８】
水槽の前記給水タンクより給水される水が溜まる部分は、前記加湿手段である略円筒形の加湿フィルターおよび、前記加熱手段である略円筒形の加熱部材と所定の距離を有した２つの半円筒形状を有する請求項１〜７のいずれかに記載の加湿装置。
【請求項９】
前記送風手段が運転停止した後の一定時間、前記回転手段による前記加湿フィルターの回転ならびに前記加熱手段による加熱を持続させることを特徴とする
請求項１〜８のいずれかに記載の加湿装置。
【請求項１０】
加湿装置の使用履歴に応じて前記一定時間の長さを調節することを特徴とする請求項９記載の加湿装置。
【発明の詳細な説明】
【技術分野】
【０００１】
本発明は水分を含んだ加湿フィルターに通風することにより、室内を加湿する加湿装置に関する。
【背景技術】
【０００２】
従来、この種の加湿装置の一例として、加湿フィルターの一部を常に水槽内に浸水させ、加湿フィルターによって溜水を吸い上げることを特徴とする第１加湿装置が知られている（例えば、特許文献１参照）。
【０００３】
この第１加湿装置は、吸込口と吹出口を備えた本体ケースと、吸込口と吹出口を連通して形成される送風路に送風空気を流通させる送風手段と、給水タンクから給水される水槽と、水槽の溜水に常に下部を浸した状態に設けられた加湿フィルターとで構成されている。そして、送風手段によって流通される送風空気が加湿フィルターを通過する際に、水槽の溜水を吸い上げた加湿フィルターを通過することで送風空気が加湿され、吹出口より室内へ供給されるものである。しかし、加湿フィルターが溜水を吸い上げるため、溜水に含まれるカルキ成分も同時に加湿フィルターに吸い上げられ加湿フィルター内部に蓄積されていくので、蓄積したカルキ成分が目詰まりすることで時間と共に吸上量ならびに送風空気の風量が低下し、結果として加湿量が低下してしまうという課題があった。
【０００４】
そこで、以上の課題を解決すべく、加湿フィルターを円筒形状とし回転させることで、加湿フィルターの全部位が溜水内に浸水することを特徴とする第２加湿装置が知られている（例えば、特許文献２参照）。
【０００５】
この第２加湿装置は、吸込口と吹出口を備えた本体ケースと、吸込口と吹出口を連通して形成される送風路に送風空気を流通させる送風手段と、給水タンクから給水される水槽と、水槽の溜水に常に一部を浸した状態に設けられた円筒形状の加湿フィルターとで構成されている。そして、加湿フィルターは駆動モーターによって水平方向を軸として回転可能なように構成されている。このような構成にすると、加湿フィルターが駆動モーターによって回転することで、全部位が必ず溜水内に浸水するため、常に安定した水分量を加湿フィルターに保水させることができ、送風空気を十分に加湿した状態で室内に供給することができる。さらに、カルキ成分が溜水に接触することによってカルキ成分が加湿フィルターから剥がれて水槽内に落ちるので、送風空気の風量を維持することができ、その結果安定した加湿量を室内に供給することが可能となる。
【特許文献１】特開２０００−３５６３７３号公報
【特許文献２】特開２００６−１０５４４０号公報
【発明の開示】
【発明が解決しようとする課題】
【０００６】
前記の第２加湿装置のような構成の場合、通常給水タンクに給水する水は冷水を使用するため、加湿フィルターを浸す溜水の温度は低くなっている。そのため、加湿フィルターに堆積したカルキ成分の量が多い場合には冷水では剥がれにくくなり、クエン酸等を用いないと十分にカルキ成分を除去できないという課題があった。
【０００７】
そこで本発明は、上記課題に対してクエン酸などの薬品を用いることなく十分にカルキ成分の除去を行うことができ、その結果より容易に加湿性能を維持することができることを目的とするものである。
【課題を解決するための手段】
【０００８】
この目的を達成するために本発明は、吸気口と排気口を有する本体ケースと、この本体ケース内で、前記吸気口から前記排気口に送風される送風路に送風手段を設け、この送風手段の前記送風路上流側に加湿手段と加熱手段を設け、この加湿手段と加熱手段の下部には水槽を設け、この水槽には給水タンクより常に所定水位まで給水し、前記加湿手段は略円筒型の加湿フィルターを回転自在に設け、前記加湿フィルターの一部が常に前記水槽の水中に浸かった構成とし、前記加熱手段は略円筒型の加熱部材を回転自在に設け、前記加熱部材の一部が常に前記水槽の水中に浸かった構成とし、前記加湿手段と加熱手段を回転させる回転手段を設けたことにより、初期の目的を達成するものである。
【発明の効果】
【０００９】
以上のように本発明は、吸気口と排気口を有する本体ケースと、この本体ケース内で、前記吸気口から前記排気口に送風される送風路に送風手段を設け、この送風手段の前記送風路上流側に加湿手段と加熱手段を設け、この加湿手段と加熱手段の下部には水槽を設け、この水槽には給水タンクより常に所定水位まで給水し、前記加湿手段は略円筒型の加湿フィルターを回転自在に設け、前記加湿フィルターの一部が常に前記水槽の水中に浸かった構成とし、前記加熱手段は略円筒型の加熱部材を回転自在に設け、前記加熱部材の一部が常に前記水槽の水中に浸かった構成とし、前記加湿手段と加熱手段を回転させる回転手段を設けた加湿装置で構成するものであり、加熱手段によって水槽内の水の温度が上昇することでスケールが溶け易くなる事によりクエン酸などの薬品を用いることなく十分にカルキ成分の除去を行い加湿性能を維持することができ、更に、加熱手段によって水槽内の水を蒸発させ加湿性能を向上させることが出来る。
【発明を実施するための最良の形態】
【００１０】
本発明は、吸気口と排気口を有する本体ケースと、この本体ケース内で、前記吸気口から前記排気口に送風される送風路に送風手段を設け、この送風手段の前記送風路上流側に加湿手段と加熱手段を設け、この加湿手段と加熱手段の下部には水槽を設け、この水槽には給水タンクより常に所定水位まで給水し、前記加湿手段は略円筒型の加湿フィルターを回転自在に設け、前記加湿フィルターの一部が常に前記水槽の水中に浸かった構成とし、前記加熱手段は略円筒型の加熱部材を回転自在に設け、前記加熱部材の一部が常に前記水槽の水中に浸かった構成とし、前記加湿手段と加熱手段を回転させる回転手段を設けた加湿装置で構成するものであり、加湿フィルターが回転し送風路の空気中から水槽の溜水内へ浸水する部位近傍に加熱手段を設けたので、送風路において加湿フィルターに付着していた溜水に含まれているカルキ成分は、加湿フィルターと共に溜水内に移動した際に、加熱手段によって加温された溜水によって容易に加湿フィルターから剥離されるので、クエン酸等の薬品を用いることなく目詰まりを解消することができる。また略円筒形の加熱部材の外周表面の水を蒸発させることにより加湿することができる。
【００１１】
以下、本発明の実施の形態について図面を参照しながら説明する。
【００１２】
（実施の形態１）
図１に示すように、本実施の形態１の加湿装置は、側面に略四角形状の吸込口１と、天面に略四角形状の吹出口２とを備えた略縦長箱型形状の本体ケース３と、この本体ケース３内に吸込口１と吹出口２を連通する送風路４に送風手段５を備えている。この送風路４には、送風手段５の風上側に加湿手段を備え、この加湿手段と送風路４との間に加熱手段８を備えている。
【００１３】
加湿手段は、水槽６と、給水タンクと、加湿フィルター７から形成されている。水槽６には給水タンクから常に一定の水が給水され、この水槽６の溜水に円筒形状の加湿フィルター７が常に一部を浸した状態で回転可能に配設されている。
【００１４】
本実施形態における特徴は、加熱手段８にある。具体的には、図２に示すように、円筒形状の加熱手段８が水槽６の溜水に常に一部を浸した状態で回転可能に配設されている。ここで、加湿フィルター７と加熱手段８とは、回転手段１０によって回転するように構成されている。
【００１５】
また、送風手段５は、吹出口２側には吐出口５ｂを有し、加湿フィルター７側には吸入口５ａを有したファンケーシング５ｃと、このファンケーシング５ｃに収納される遠心羽根５ｄと、この遠心羽根５ｄに連結される送風モーター５ｅを具備しており、送風モーター５ｅの駆動によって遠心羽根５ｄを回転させ、吸入口５ａより空気を吸込んで吐出口５ｂより空気を排出するものである。
【００１６】
また、水槽６における溜水が溜まる部分は、加湿フィルター７及び加熱手段８と所定の距離を有した略半円筒形状を有するものである。所定距離としては、溜水の温度上昇の観点からより短いことが望ましいが、加湿フィルター７及び加熱手段８と水槽６の接触を考慮すると、最低でも３ｍｍ程度の距離を有するものである。
【００１７】
また、加湿フィルター７は、発泡ウレタン基材の表面にタルクとバインダーからなる溶液を含浸または塗布しており、水平軸を備えた加湿フィルター保持具９ａの外周面に通風可能に装着されることで円筒形状を維持するとともに、水槽６の溜水に常に下部を浸しながら、加湿フィルター保持具９ａの水平軸を中心に回転可能に支持されている。加湿フィルター７の回転方向は、空気流路の上流側に面して、空気中に出る方向を回転方向としている。なお、加湿フィルター７として、繊維によって格子状に形成された加湿フィルター外周面と内周面を複数の繊維によって連結することで形成されたものがあり、加湿フィルターに対して直行方向に送風空気が通過した場合、発泡ウレタンにて形成された加湿フィルターより圧力損失が低く、結果としてより多くの加湿空気を室内に供給することが可能となる。
【００１８】
また、加熱手段８は金属製の円筒形状の加熱部材８ａと、その内部に水面から上方に所定の距離を有した加熱ヒータ８ｂから構成されており、加熱部材８ａは水平軸を備えた加熱手段保持具９ｂにより水槽６の溜水に常に下部を浸しながら、水平軸を中心に回転可能に支持されている。加熱部材８ａの表面は凹凸形状を有しており、水平軸を中心に回転させることにより凹部で水槽内の水を掬い上げることが出来る。加熱部材８ａの回転方向は空気流路の上流に面して、加湿フィルター７に近づく方向に回転する。加熱ヒータ８ｂは金属製のパイプの中に電熱線をコイル状にしたものを通し、金属パイプと電熱線が接触しないように絶縁粉末を詰めて密封したシーズヒーターや、チタン酸バリウムを主成分とする半導体セラミックで構成され、この主成分が持つ自己温度制御性を利用したＰＴＣヒーターを具備するものである。また、加熱手段８は、加湿フィルター７の回転軸方向長さと略同一長さを有しているものである。
【００１９】
また、使用者が加湿装置の運転を停止した場合、送風手段５の運転を停止することで送風空気の搬送を停止するが、回転手段１０による加湿フィルター７と加熱部材８ａの回転ならびに加熱手段８による水槽６の加熱を一定時間持続させる制御を備えている。ここで、前記一定時間の設定時間に関して、加湿運転時間に比例して長く設定されるものである。
【００２０】
また、回転手段１０は、駆動モータ１０ａと、駆動ギア１０ｂと、伝達ギア１０ｃとから形成されている。加湿フィルター保持具９ａには加湿フィルタ受動ギア１０ｄが設けられ、加熱手段保持具９ｂには加熱手段受動ギア１０ｅが設けられている。ここで、駆動モータ１０ａの回転トルクを駆動ギア１０ｂと加湿フィルタ受動ギア１０ｄによって加湿フィルター保持具９ａに伝達することで、加湿フィルター保持具９ａならびに加湿フィルター７を回転させ、また駆動ギア１０ｂと加熱手段受動ギア１０ｅの間に伝達ギア１０ｃを介することで、駆動モータ１０ａの回転トルクを加熱手段保持具９ｂに伝達し、加熱部材８ａを回転させるものである。すなわち、加湿フィルター及び加熱部材をひとつの回転手段である駆動モータ１０ａで回転させることができる。
【００２１】
上記構成により、加湿フィルター７は回転手段１０によって回転することで水槽６に溜められた溜水内を通過するため、常に十分に保水した状態で送風路４に配設することができる。そして、吸込口１より流入した送風空気は、送風路４に設けられた加湿フィルター７を通過する際に、加湿フィルター７に保水された水分を気化しつつ通過することにより高湿の空気となり、送風手段５を通過して吹出口２より室内へ供給されるものである。
【００２２】
ここで、水槽６の溜水には雑菌の繁殖を防止するために通常水道水を使用するが、水道水中には消毒のためカルキ成分が含有している。よって、加湿フィルター７に保水されている水分にもカルキ成分が含有しているが、送風空気によって前記水分のみが気化するため、加湿フィルター７にはカルキ成分が析出することとなる。しかし、析出したカルキ成分が加湿フィルター７と共に送風路４より水槽６の溜水内に浸水することで、溜水によってカルキ成分が溶解もしくは加湿フィルター７から剥離し水槽６に沈殿するため、カルキ成分は加湿フィルター７に蓄積されることなく、その結果カルキ成分による加湿フィルター７の目詰まりなく安定した加湿性能を供給することができる。そして、加熱手段８によって水槽６の溜水が加温された状態となるため、カルキ成分の溶解ならびに剥離が冷水と比較して促進されるため、より確実かつ容易にカルキ成分による目詰まりを防ぐことが可能となる。
【００２３】
また、加熱手段８は送風路４の加湿手段の下流に設けたものである。これにより、加熱手段８が加湿フィルター７へ流入する風の湿度に影響を及ぼさないため、加湿フィルター７の気化による加湿量を減らすことなく、加熱手段８によって発生した蒸気は加湿フィルター７を通過した高い湿度を保持した空気と共に送風路４を通過し、本体ケース３外へ送り出すことができる。
【００２４】
また、加湿手段である略円筒形の加湿フィルター７は、水槽の水中に浸した部分が送風路４の上流側の空気中に出る方向に回転するので、風が最も多く通過する加湿フィルター７上部の回転方向と同じ方向に風が通過するので圧力損失を小さくすることが出来る。
【００２５】
また、加熱手段８は略円筒形で、加湿手段に空気中で近づきながら送風路４の水中に入る方向に回転するので、加湿フィルター７を通過した風があたらない部分から加熱部材８ａは水を掬い上げ、凹部に溜まった水を加熱し始めるので、風によって熱を奪われずにより効率的に蒸発による加湿を促進することが出来る。
【００２６】
また、加熱手段８は略円筒形の加熱部材８ａと、加熱部材８ａの内部で水面から上方に所定の距離を有した位置に加熱ヒータ８ｂを備えたので、内部から均一に加熱部材８ａを熱することが出来、また加熱ヒータ８ｂの周辺を不燃材で覆っているため安全性が高まる。
【００２７】
また、加熱部材８ａの略円筒形の円周表面は凹凸形状を有したものである。具体的には、凹凸形状は円弧形状を持つものである。これにより、水平方向に回転することで水槽６内の水が凹部に溜まり、凹部に溜まった水が風路中で回転している間に加熱部材８ａの熱により蒸発し、加湿をすることが出来る。またこの加熱手段８は風路上において加湿フィルター７の後方に位置しており、水がついた加湿フィルター７に風が通過することによる気化に影響すること無く加湿をすることができる。
【００２８】
また、加湿フィルター７及び加熱部材８ａをひとつの回転手段１０で回転させるので、それぞれを別々の回転手段１０で回転させる場合に比べて、回転手段１０である駆動モータ１０ａを減らすことでコストを下げることができ、また消費電力を小さくすることが可能となる。
【００２９】
また、水槽６の給水タンクより給水される水が溜まる部分は、加湿手段である略円筒形の加湿フィルター７および、加熱手段８である略円筒形の加熱部材８ａと所定の距離を有した２つの半円筒形状を有するので、溜水の水量を最小限に抑えることが可能となるため、加熱手段８による溜水の温度をより高く上昇させることができ、より確実にカルキ成分を溶解ならびに剥離させることが可能となる。
【００３０】
また、送風手段５が運転停止した後の一定時間、回転手段による加湿フィルター７の回転ならびに加熱手段８による加熱を持続させるので、運転中に完全に除去できなかった残存カルキ成分を確実に除去させることができ、その結果より確実に安定した加湿量を提供することができる。
【００３１】
また、加湿装置の使用履歴に応じて一定時間の長さを調節するので、残存カルキ成分量は運転時間に比例しているため、加湿フィルター７の回転ならびに加熱手段８による除去運転時間を長く行うことで、確実にカルキ成分を除去することが可能となる。
【産業上の利用可能性】
【００３２】
以上のように本発明は、吸込口１と吹出口２を有する本体ケース３と、この本体ケース３内で、前記吸込口１から前記吹出口２に送風される送風路４に送風手段５を設け、この送風手段５の前記送風路上流側に加湿手段と加熱手段８を設け、この加湿手段と加熱手段８の下部には水槽６を設け、この水槽６には給水タンクより常に所定水位まで給水し、前記加湿手段は略円筒型の加湿フィルター７を回転自在に設け、前記加湿フィルター７の一部が常に前記水槽６の水中に浸かった構成とし、前記加熱手段８は略円筒型の加熱部材を回転自在に設け、前記加熱部材の一部が常に前記水槽６の水中に浸かった構成とし、前記加湿手段と加熱手段８を回転させる回転手段１０を設けた加湿装置であり、確実かつ容易に水道水中に含まれるカルキ成分による目詰まりを除去することができるため、常に安定した加湿量を供給することができる。
【００３３】
従って、家庭用や事務所用などの、加湿装置として活用が期待されるものである。
【図面の簡単な説明】
【００３４】
【図１】本発明における実施の形態の外観図
【図２】本発明における実施の形態の概略断面図
【図３】本発明における実施の形態の概略断面図
【符号の説明】
【００３５】
１      吸込口
２      吹出口
３      本体ケース
４      送風路
５      送風手段
５ａ    吸入口
５ｂ    吐出口
５ｃ    ファンケーシング
５ｄ    遠心羽根
５ｅ    送風モーター
６      水槽
７      加湿フィルター
８      加熱手段
８ａ    加熱部材
８ｂ    加熱ヒータ
９      保持具
９ａ    加湿フィルター保持具
９ｂ    加熱手段保持具
１０    回転手段
１０ａ  駆動モータ
１０ｂ  駆動ギア
１０ｃ  伝達ギア
１０ｄ  加湿フィルタ受動ギア
１０ｅ  加熱手段受動ギア
【図１】
2010151417.tif 000003
【図２】
2010151417.tif 000004
【図３】
2010151417.tif 000005